(57)【要約】【課題】ユーザーによる設定を伴うことなく、所定の処理を施した処理後のファイルにアクセスできるようにする。【解決手段】メモリーカード内に保存されている画像ファイルの画質補正（ＡＰＦ）処理を施してＡＰＦ処理後画像をメモリーカードに格納すると（Ｓ１１０，Ｓ１２０）共に画像ファイルの参照先を元画像データの本体の格納場所（クラスター番号）からＡＰＦ処理後画像データの本体の格納場所（クラスター番号）に書き換える（Ｓ１３０）。そして、ユーザーＰＣからファイルアクセス指令を受け付けたときには、メモリーカードから指定されたクラスター番号のクラスター内容（画像ファイル）を送信する。これにより、ユーザーＰＣ側からは特別な操作を必要とすることなしに、メモリーカードに保存されている画像にアクセスするだけでＡＰＦ処理後の画像を受け取ることができる。【選択図】図３
2011118619.tif 000002
【特許請求の範囲】
【請求項１】
ファイルを管理するファイル管理装置であって、
記憶装置から複数のファイルを取得する取得部と、
前記記憶装置にファイルが存在するよう見せる表示制御部と、
前記記憶装置に存在するように見せているファイルに対する取得指示を受け付ける受付部と、
前記取得指示を受け付けた場合に、該取得指示の対象に対応したファイルに所定の処理を行なった処理後ファイルを取得指示に応じて供給する取得対応部と、
を備えるファイル管理装置。
【請求項２】
記憶装置に記憶されているファイルを管理するファイル管理装置であって、
前記記憶装置に記憶されているファイルを取得するファイル取得手段と、
前記取得されたファイルに所定の処理を施して得られる処理後ファイルを前記記憶装置に格納すると共にファイルの参照先を元ファイルの本体の格納場所から前記処理後ファイルの本体の格納場所に置き換えて通知するファイル処理格納手段と、
前記記憶装置のファイルのアクセス要求がなされたときには、該要求に伴って指定された参照先に基づいて前記記憶装置から対応するファイル本体を取得することにより応答するアクセス応答手段と、
を備えるファイル管理装置。
【請求項３】
前記ファイルとして画像ファイルを処理する請求項２記載のファイル管理装置であって、
前記ファイル処理格納手段は、前記所定の処理として前記画像ファイルに画質補正または変倍を施して格納する手段である
ファイル管理装置。
【請求項４】
請求項２または３記載のファイル管理装置であって、
前記記憶装置は、ディレクトリーエントリーを用いてデータを管理する装置であり、
前記ファイル処理格納手段は、前記記憶装置のディレクトリーエントリーにおいて、処理後ファイルの参照先を前記処理後ファイルの本体の格納場所にしたディレクトリーエントリーを作成する手段である
ファイル管理装置。
【発明の詳細な説明】
【技術分野】
【０００１】
本発明は、ファイル管理装置に関する。
【背景技術】
【０００２】
従来、この種のファイル管理装置としては、フォルダー毎に対象ファイルを分類するものが提案されている（例えば、特許文献１参照）。この装置では、ユーザーにより指定された条件によりフォルダー構成を作成し、作成したフォルダー構成で対象ファイルを分類することにより、ファイルの数が増えてもユーザの作業負担を大きくすることなく、ファイルを容易に分類することができるとしている。
【先行技術文献】
【特許文献】
【０００３】
【特許文献１】特開２００８−２６９０７９号公報
【発明の概要】
【発明が解決しようとする課題】
【０００４】
ところで、ユーザーの指示によりファイルに所定の処理を施して処理後のファイルを取り扱う場合、例えば、画像ファイルに画質補正を施して補正後画像ファイルを取り扱う場合を考えたとき、ファイルの数が増えると、ファイルに対して一つずつ処理を指示したり、処理後ファイルをユーザー自身が管理する必要があり、ユーザーの操作負担が過大となっていた。
【０００５】
本発明のファイル管理装置は、ユーザーによる設定を伴うことなく、所定の処理を施した処理後のファイルにアクセスできるようにすることを主目的とする。
【０００６】
本発明のファイル管理装置は、上述の主目的を達成するために以下の手段を採った。
【課題を解決するための手段】
【０００７】
本発明の第１のファイル管理装置は、
ファイルを管理するファイル管理装置であって、
記憶装置から複数のファイルを取得する取得部と、
前記記憶装置にファイルが存在するよう見せる表示制御部と、
前記記憶装置に存在するように見せているファイルに対する取得指示を受け付ける受付部と、
前記取得指示を受け付けた場合に、該取得指示の対象に対応したファイルに所定の処理を行なった処理後ファイルを取得指示に応じて供給する取得対応部と、
を備えることを要旨とする。
【０００８】
この本発明の第１のファイル管理装置では、記憶装置から複数のファイルを取得し、記憶装置にファイルが存在するよう見せ、記憶部に存在するように見せているファイルに対する取得指示を受け付け、取得指示を受け付けた場合に取得指示の対象に対応したファイルに所定の処理を行なった処理後ファイルを取得指示に応じて供給する。これにより、ユーザーによる設定を伴うことなく、所定の処理を施した処理後のファイルを取得することができる。ここで、記憶装置としては、単一の記憶部からなるものとしてもよいし、複数の記憶部からなるものとしてもよい。後者の場合、記憶装置が第１の記憶部と第２の記憶部からなり、第１の記憶部から複数のファイルを取得し、第２の記憶部に第１の記憶部のファイルに対応するファイルが存在するように見せかけ、第２の記憶部に存在するように見せかけられているファイルに対応する取得指示を受け付け、取得指示を受け付けた場合に取得指示の対象であるファイルに対応するファイルを第１の記憶部から取得させると共に取得されたファイルに所定の処理を施した処理後のファイルを取得指示に応じて供給するものとしてもよい。この場合、所定の処理は、第２の記憶部に存在するよう見せかけられているファイルに応じた処理であるものとすることもできる。
【０００９】
本発明の第２のファイル管理装置は、
前記記憶装置に記憶されているファイルを取得するファイル取得手段と、
前記取得されたファイルに所定の処理を施して得られる処理後ファイルを前記記憶装置に格納すると共にファイルの参照先を元ファイルの本体の格納場所から前記処理後ファイルの本体の格納場所に置き換えて通知するファイル処理格納手段と、
前記記憶装置のファイルのアクセス要求がなされたときには、該要求に伴って指定された参照先に基づいて前記記憶装置から対応するファイル本体を取得することにより応答するアクセス応答手段と、
を備えることを要旨とする。
【００１０】
この本発明の第２のファイル管理装置では、記憶装置に記憶されているファイルを取得し、取得したファイルに所定の処理を施して得られる処理後ファイルを記憶装置に格納すると共にファイルの参照先を元ファイルの本体の格納場所から処理後ファイルの本体の格納場所に置き換えて通知し、記憶装置のファイルのアクセス要求がなされたときには要求に伴って指定された参照先に基づいて記憶装置から対応するファイル本体を取得することにより応答する。これにより、アクセスする側からは特別な操作やアプリケーションを起動することなしに、処理後ファイルを容易に取得することができる。
【００１１】
ファイルとして画像ファイルを処理する本発明のファイル管理装置において、前記ファイル処理格納手段は、前記所定の処理として前記画像ファイルに画質補正または変倍を施して格納する手段であるものとすることもできる。
【００１２】
また、本発明のファイル管理装置において、前記記憶装置は、ディレクトリーエントリーを用いてデータを管理する装置であり、前記ファイル処理格納手段は、前記記憶装置のディレクトリーエントリーにおいて、処理後ファイルの参照先を前記処理後ファイルの本体の格納場所にしたディレクトリーエントリーを作成する手段であるものとすることもできる。こうすれば、ディレクトリーエントリーを用いてより容易に処理後ファイルを取得することができる。
【図面の簡単な説明】
【００１３】
【図１】本発明の一実施形態であるプリントシステム１０の構成図。
【図２】メモリーカードＭＣのフォルダー構成の一例を示す説明図。
【図３】ＡＰＦドライブ作成処理の一例を示すフローチャート。
【図４】メモリーカードＭＣの画像ファイルのクラスター構成の一例を示す説明図。
【図５】ＡＰＦ処理後の画像ファイルのクラスター構成の一例を示す説明図。
【図６】ディレクトリーエントリーの一例を示す説明図。
【図７】アクセス応答処理の一例を示すフローチャート。
【発明を実施するための形態】
【００１４】
次に、本発明の第１の実施の形態を図面を用いて説明する。図１は、本発明の一実施形態であるプリントシステム１０の構成の概略を示す構成図である。本実施形態のプリントシステム１０は、図示するように、ユーザーコンピューター（以下、ユーザーＰＣという）２０とプリンター３０とがＵＳＢケーブル５０により接続されたものとして構成されている。
【００１５】
プリンター３０は、装置全体の制御を司るメインコントローラー３１と、着色剤としてインクを記録紙Ｓに吐出することにより印刷を行なうプリンターユニット４０と、原稿台に載置された原稿を光学的に読み取って画像データを生成するスキャナーユニット４５と、メモリーカードスロット３７ａに挿入されたメモリーカードＭＣとの間でデータの入出力を司るメモリーカードコントローラー３７と、電源ボタンや動作モードを選択するためのモード選択ボタン，スタートボタンなどからなる操作部３８と、とを備え、これらはバス３９を介して電気的に接続されている。なお、モード選択ボタンにより選択できる動作モードとしては、原稿台の原稿を読み取るスキャンモードや原稿台の原稿を読み取って印刷を行なうコピーモード，メモリーカードＭＣに保存されている画像データを読み取って印刷を行なうメモリーカードモードなどがある。
【００１６】
プリンターユニット４０は、プリンターＡＳＩＣ４２とプリンターエンジン４４とを備える。プリンターＡＳＩＣ４２は、プリンターエンジン４４を制御する集積回路であり、メインコントローラー３１から印刷指令を受けると、印刷指令の対象となる画像ファイルに基づいて用紙に印刷するようプリンターエンジン４４を制御する。プリンターエンジン４４は、印刷ヘッドから用紙へインクを吐出することにより印刷を行なう周知のインクジェット方式のカラープリンター機構として構成されている。なお、ＡＳＩＣは、Ａｐｐｌｉｃａｔｉｏｎ  Ｓｐｅｃｉｆｉｃ  Ｉｎｔｅｇｒａｔｅｄ  Ｃｉｒｃｕｉｔの略である。
【００１７】
スキャナーユニット４５は、スキャナーＡＳＩＣ４６とスキャナーエンジン４８とを備える。スキャナーＡＳＩＣ４６は、スキャナーエンジン４８を制御する集積回路であり、メインコントローラー３１からのスキャン指令を受けると、原稿台に載置された原稿を画像データとして読み取るようスキャナーエンジン４８を制御する。また、スキャナーエンジン４８は、周知のイメージスキャナーとして構成され、原稿に向かって発光したあとの反射光をレッド（Ｒ）、グリーン（Ｇ）、ブルー（Ｂ）の各色に分解してスキャンデータとする周知のカラーイメージセンサーを備える。
【００１８】
メモリーカードコントローラー３７は、メモリーカードスロット３７ａに挿入されたメモリーカードＭＣとの間でデータのやり取りを行なうことにより、メモリーカードＭＣに保存されているファイルを読み出してメインコントローラー３１に送信したりメインコントローラー３１からの指令に応じてメモリーカードＭＣにデータを書き込んだりする。図２に、メモリーカードＭＣに記憶されている画像ファイルのフォルダー構成の一例を示す。メモリーカードＭＣのフォルダー構成は、図示するように、デジタルカメラで撮影された画像であることを示すフォルダー”ＤＣＩＭ”の中に撮影したデジタルカメラの製造メーカーを示すフォルダー”１００ＡＢＣ”が格納され、このフォルダー”１００ＡＢＣ”の中に画像ファイル”ＩＭＧ０００１．ＪＰＧ”，”ＩＭＧ０００２．ＪＰＧ”，”ＩＭＧ０００３．ＪＰＧ”が格納される。本実施形態では、画像ファイル”ＩＭＧ０００１．ＪＰＧ”，”ＩＭＧ０００２．ＪＰＧ”，”ＩＭＧ０００３．ＪＰＧ”は、Ｅｘｉｆ（EXchangeable Image File）形式で保存されており、ファイル内には撮影年月日や撮影したデジタルカメラの機種名，製造メーカー名などの付加情報が含まれている。
【００１９】
ＵＳＢコントローラ３６は、接続端子３６ａにＵＳＢケーブル５０が接続されて、ＵＳＢケーブル５０を介してユーザーＰＣ２０との間でデータのやり取りを制御するコントローラである。なお、接続端子３６ａは、ＶＢＵＳラインとＧＮＤラインの２本の電源系ラインと、Ｄ＋ラインとＤ−ラインの２本の信号系ラインとを接続可能な標準Ｂレセプタクルとして構成されている。
【００２０】
メインコントローラー３１は、ＣＰＵ３２を中心とするマイクロプロセッサとして構成されており、各種処理プログラムを記憶したＲＯＭ３３と、一時的にデータを記憶するＲＡＭ３４と、ポーリングタイムを計測するためのタイマー３５とを備える。ＲＡＭ３４には、ユーザーＰＣ２０からの受信した指令を格納するための受信バッファーが設けられている。メインコントローラー３１は、この受信バッファー内に指令が格納されているか否かを所定時間毎に繰り返し確認するポーリング処理を実行することにより、ユーザーＰＣ２０からの指令を受け付ける。
【００２１】
ユーザーＰＣ２０は、コントローラー２１と、ディスプレイとしての表示部２５と、ＵＳＢコントローラー２６と、インターフェース（Ｉ／Ｆ）２８とを備える汎用のパーソナルコンピューターであり、図示しないＨＤＤにインストールされたプログラム（プリンタードライバー）により各種指令をプリンター３０に送信したりプリンター３０からの応答を受信したりする。プリンター３０に送信する各種指令としては、印刷を行なうための印刷指令の他、プリンター３０のメモリーカードスロット３７ａに装着されたメモリーカードＭＣに保存されているファイルにアクセスするファイルアクセス指令などがある。ＵＳＢコントローラー２６は、接続端子２６ａにＵＳＢケーブル５０が接続されて、ＵＳＢケーブ５０を介してプリンター３０との間でデータのやり取りを制御するコントローラである。なお、接続端子２６ａは、ＶＢＵＳラインとＧＮＤラインの２本の電源系ラインと、Ｄ＋ラインとＤ−ラインの２本の信号系ラインとを接続可能な標準Ａレセプタクルとして構成されている。
【００２２】
次に、こうして構成された本実施形態のプリンター３０の動作、特に、ユーザーＰＣ２０からのプリンター３０のメモリーカードＭＣにアクセスする際の動作について説明する。図３は、プリンター３０のメインコントローラー３１により実行されるＡＰＦドライブ作成処理の一例を示すフローチャートである。このルーチンは、プリンター３０のメモリーカードスロット３７ａにメモリーカードＭＣが差し込まれたことに応じて実行される。
【００２３】
ＡＰＦドライブ作成処理が実行されると、メインコントローラー３１のＣＰＵ３２は、まず、メモリーカードコントローラー３７を介してメモリーカードＭＣに保存されている画像ファイルを読み込み（ステップＳ１００）、読み込んだ画像ファイルに対して画質補正処理（ＡＰＦ処理）を施して（ステップＳ１１０）、ＡＰＦ処理後の画像ファイルをメモリーカードＭＣの未使用領域に格納し（ステップＳ１２０）、ファイルシステムにおけるファイル名等のファイルを特定する情報とファイルの実体の存在する位置を示すクラスター番号やポインタ等を対応付けることでファイルの実体を参照できるようにするデータであるディレクトリーエントリーを、画像ファイルの参照先がメモリーカードＭＣに保存されている元ファイルの本体の格納場所に代えて新たにメモリーカードＭＣに保存したＡＰＦ処理後の画像ファイルの本体の格納場所となるよう設定する（ステップＳ１３０）。そして、メモリーカードＭＣ内に保存されている画像ファイルのうち未処理のものがあるか否かを判定し（ステップＳ１４０）、未処理の画像ファイルがあるときにはステップＳ１００に戻ってステップＳ１００〜Ｓ１３０の処理を繰り返し、未処理の画像ファイルがないときにはディレクトリーやファイルを特定する情報をユーザーＰＣ２０に通知して（ステップＳ１５０）、本処理を終了する。
【００２４】
図４にメモリーカードＭＣ内に保存されている画像ファイルのクラスター構成の一例を示し、図５にＲＡＭ３４上に作成される画像ファイルのクラスター構成の一例を示す。図４中の”ＤＣＩＭ￥（２）”，”１００ＡＢＣ￥（３）”，”ＩＭＧ０００１．ＪＰＧ（４）”，”ＩＭＧ０００２．ＪＰＧ（６）”，”ＩＭＧ０００３．ＪＰＧ（８）”と図５中の”ＤＣＩＭ￥（２）”，”１００ＡＢＣ￥（３）”，”ＩＭＧ０００１．ＪＰＧ（１０）”，”ＩＭＧ０００２．ＪＰＧ（１２）”，”ＩＭＧ０００３．ＪＰＧ（１４）”，はディレクトリーエントリーであり、括弧内の数字は参照先のクラスター番号を示す。図６にディレクトリーエントリーの構成を示す。図示するように、ディレクトリーエントリーには、ファイル名，属性，予約，ファイル作成時刻（ミリ秒部分），ファイル作成時刻，ファイル作成日付，ファイルアクセス日付，ファイル本体が存在するクラスタ番号（上位１６ビット），ファイル更新日付，ファイル本体が存在するクラスタ番号（下位１６ビット），ファイルサイズなどが含まれる。図４および図５に示すように、ＡＰＦドライブ作成処理が実行されると、メモリーカードＭＣ上には、ファイルＩＭＧ０００１．ＪＰＧのＡＰＦ画像データの本体とファイルＩＭＧ０００２．ＪＰＧのＡＰＦ画像データの本体とファイルＩＭＧ０００３．ＪＰＧのＡＰＦ画像データの本体とが追加され、ファイルＩＭＧ０００１．ＪＰＧ，ＩＭＧ０００２．ＪＰＧ，ＩＭＧ０００３．ＪＰＧの参照先がそれぞれ元画像データの本体の格納場所（各クラスター番号４，６，８）からＡＰＦ処理後画像データの本体の格納場所（各クラスター番号１０，１２，１４）に書き換えられる。
【００２５】
図７は、メインコントローラー３１により実行されるアクセス応答処理の一例を示すフローチャートである。この処理は、ユーザーＰＣ２０からアクセス指令を受け付けたときに実行される。アクセス応答処理では、まず、ポーリングタイムが経過するのを待って（ステップＳ２００）、ＲＡＭ３４の受信バッファー内に指令が格納されているか否かを確認し（ステップＳ２１０）、ファイルアクセス指令が格納されていないときにはその他の処理であるか指令が受け付けられていないと判断して処理を終了し、ファイルアクセス指令以外の指令が格納されている場合にはその指令に基づいた処理を開始する。そして、ＲＡＭ３４の受信バッファー内にファイルアクセス指令が格納されているときには、メモリーカードＭＣ内のファイルアクセス指令によって指定されたクラスター番号または指令されたファイルの参照先クラスター番号のクラスター内容を送信して（ステップＳ２３０）、本処理を終了する。いま、ＡＰＦドライブ作成処理により図４のクラスター構成から図５のクラスター構成を作成した場合を考える。この場合、ファイルＩＭＧ０００１．ＪＰＧ，ＩＭＧ０００２．ＪＰＧ，ＩＭＧ０００３．ＪＰＧの各参照先は、元画像の本体の格納場所である各クラスター番号４，６，８ではなく、ＡＰＦ処理後画像の本体の格納場所である各クラスター番号１０，１２，１４であるから、例えば、ユーザーＰＣ２０側からクラスター番号１０が指定されてファイル”ＩＭＧ０００１．ＪＰＧ”の読み込みが指示されると、ＡＰＦ処理後の画像が読み込まれてユーザーＰＣ２０側に送信されることになる。したがって、ユーザーＰＣ２０側からは特別な操作やアプリケーションを起動することなしに、メモリーカードＭＣに保存されている画像にアクセスしようとするだけでＡＰＦ処理後の画像を受け取ることができる。
【００２６】
ここで、本実施形態の構成要素と本発明の構成要素との対応関係を明らかにする。本実施形態のメモリーカードコントローラー３７と図３のＡＰＦドライブ作成処理のステップＳ１００の処理を実行するメインコントローラー２１とが本発明の「ファイル取得手段」に相当し、本実施形態の図３のＡＰＦドライブ作成処理のステップＳ１１０〜Ｓ１４０の処理を実行するメインコントローラー２１が本発明の「ファイル処理格納手段」に相当し、本実施形態の図７のアクセス応答処理を実行するメインコントローラー２１が本発明の「アクセス応答手段」に相当する。
【００２７】
以上説明した本実施形態のプリンター３０によれば、メモリーカードＭＣ内に保存されている画像ファイルの画質補正（ＡＰＦ）処理を施してＡＰＦ処理後画像をメモリーカードＭＣに格納すると共に画像ファイルの参照先を元画像データの本体の格納場所（クラスター番号）からＡＰＦ処理後画像データの本体の格納場所（クラスター番号）に書き換えておき、ユーザーＰＣ２０からファイルアクセス指令を受け付けたときには、メモリーカードＭＣから指定されたクラスター番号のクラスター内容（画像ファイル）を送信するから、ユーザーＰＣ２０側からは特別な操作を必要とすることなしに、メモリーカードＭＣに保存されている画像にアクセスしようとするだけでＡＰＦ処理後の画像を容易に取得することができる。
【００２８】
次に、本発明の第２の実施の形態について説明する。第１の実施の形態では、プリンター３０のメモリーカードスロット３７ａにメモリーカードＭＣが差し込まれたことに応じてＡＰＦ処理を実行していたが、第２の実施の形態では、メモリーカードＭＣが差し込まれたことに応じてＡＰＦ処理を行なわずにディレクトリーエントリー上でＡＰＦフォルダーを作成して、その中に元ファイルと同じファイルを用意してユーザーＰＣ２０に通知する。そして、ユーザーＰＣ２０からＡＰＦフォルダーの中のファイルに対するアクセス指令を受け付けたときに、対応するファイルにＡＰＦ処理を実行し、ＡＰＦ処理後のファイルをユーザーＰＣ２０側に送信する。この他は、第１の実施の形態と同様である。このようにすることで、全てのファイルに対してＡＰＦ処理を実行しないので、時間の節約ができ、全てのファイルのＡＰＦ処理後のデータを記憶する必要もないので、記憶容量に制限があるメモリーカードＭＣのサイズを節約することができる。
【００２９】
第１の実施形態では、ＡＰＦ処理後のファイルをメモリーカードＭＣの未使用領域に格納するものとしたが、ＲＡＭ３４に格納するものとしてもよい。この場合、ＡＰＦ処理後のファイルをＲＡＭ３４に格納した後に、ディレクトリーエントリーをＲＡＭ３４上に用意して、元のフォルダーの中の画像ファイルの参照先をメモリーカードＭＣに保存されている元ファイルの本体の格納場所とし、「ＡＰＦ」という名称の新しいフォルダーの中に元ファイルと同じ名称のファイルを用意して、このファイルの参照先をＲＡＭ３４上のＡＰＦ処理後の画像ファイルの格納場所とし、これをユーザーＰＣ２０に通知するものとすればよい。
【００３０】
第１および第２の実施形態では、本発明を画像ファイルに対してＡＰＦ処理を施すものとしたが、ファイルに所定の処理を施すものであれば例えば、文書や音声，動画などの如何なるファイルに適用するものとしてもよいし、用いる処理もＡＰＦ処理に限られず画像を変倍する変倍処理など如何なる処理であっても構わない。なお、変倍処理を用いる場合には、図３の処理のステップＳ１１０のＡＰＦ処理を変倍処理に置き換えるものとすればよい。
【００３１】
本実施形態では、プリンターユニット４０とスキャナーユニット４５とを備えるマルチファンクションプリンターとして構成するものとしたが、プリンターユニット４０だけを備えるものとしてもよいし、スキャナーユニット４５だけを備えるものとしてもよい。また、本発明のファイル管理装置は、プリンターやスキャナーに限られず、ＦＡＸ機器、ビューワーなど他の機器に適用するものとしても構わない。
【００３２】
本発明は上述した実施形態に何ら限定されることはなく、本発明の技術的範囲に属する限り種々の態様で実施し得ることはいうまでもない。
【符号の説明】
【００３３】
１０  プリントシステム、２０  ユーザーコンピューター（ユーザーＰＣ）、２１  コントローラー、２２  ＣＰＵ、２４  ＲＯＭ、２６  ＲＡＭ、２５  表示部、２６  ＵＳＢコントローラー、２６ａ  接続端子、２８  インターフェース（Ｉ／Ｆ）、３０  プリンター、３１  メインコントローラー、３２  ＣＰＵ、３３  ＲＯＭ、３４ ＲＡＭ、３５  タイマー、３６  ＵＳＢコントローラー、３６ａ  接続端子、３７  メモリカードコントローラー、３７ａ  メモリーカードスロット、３８  操作部、３９  バス、４０  プリンターユニット、４２  プリンターＡＳＩＣ、４４  プリンターエンジン、４５  スキャナーユニット、４６  スキャナーＡＳＩＣ、４８  スキャナーエンジン、５０  ＵＳＢケーブル、ＭＣ  メモリーカード。
【図１】
2011118619.tif 000003
【図２】
2011118619.tif 000004
【図３】
2011118619.tif 000005
【図４】
2011118619.tif 000006
【図５】
2011118619.tif 000007
【図６】
2011118619.tif 000008
【図７】
2011118619.tif 000009